(57)【特許請求の範囲】
【請求項１】
長方形状の端子面部と、前記端子面部に設けられた外部端子と、前記端子面部の短辺に連なる短側面部とを有する蓄電素子と、
前記外部端子を被覆するキャップとを備え、
前記端子面部に被係合部が設けられ、
前記キャップは、前記端子面部の長手方向の一方側から前記短側面部に押し付けられる第１押し付け部と、前記端子面部の長手方向の他方側から前記被係合部に押し付けられる第２押し付け部とを有し、
前記キャップは、前記外部端子を取り囲む周壁部を有し、
前記キャップの前記周壁部は、前記短側面部に対向する対向壁部を有し、
前記第１押し付け部は、前記対向壁部の内面に設けられた突起部であり、
前記キャップの前記周壁部の軸方向の一方側は開口しており、
前記突起部は、前記軸方向に延びるリブ状に形成されている、蓄電装置。
【請求項２】
前記キャップは、前記周壁部から外側に突出した突出片を有し、
前記第２押し付け部は、前記突出片の先端部に設けられている、請求項１に記載の蓄電装置。
【請求項３】
前記端子面部に、センサを取り付けるためのセンサ取付部が設けられ、
前記キャップにおける前記周壁部と前記第２押し付け部との間に隙間が形成されており、
前記隙間は、前記センサから延びる電線を通すための開口とされている、請求項２に記載の蓄電装置。
【請求項４】
前記センサ取付部と前記開口は、前記端子面部の短手方向に並べて配置されている、請求項３に記載の蓄電装置。
【請求項５】
前記突起部は、前記軸方向の前記一方側に向かって次第に突出高さが低くなるテーパ形状を有する、請求項１から請求項４のいずれか１項に記載の蓄電装置。
【請求項６】
前記蓄電素子は、前記端子面部の一方の長辺に連なる第１長側面部と、前記端子面部の他方の長辺に連なる第２長側面部とを有し、
前記キャップは、前記端子面部の短手方向の一方側から前記第１長側面部に押し付けられる第３押し付け部と、前記端子面部の短手方向の他方側から前記第２長側面部に押し付けられる第４押し付け部とを有する、請求項１から請求項５のいずれか１項に記載の蓄電装置。
【請求項７】
前記キャップを介して前記蓄電素子を保持する保持体を備える、請求項１から請求項６のいずれか１項に記載の蓄電装置。
【発明の詳細な説明】
【技術分野】
【０００１】
本発明は、リチウムイオン二次電池のような非水電解質二次電池を含む複数の蓄電素子をモジュール化した蓄電装置に関する。
【背景技術】
【０００２】
従来から、複数の角形の蓄電素子（単電池）が積層され、蓄電素子の外部端子間がバスバーを介して接続された蓄電装置（組電池）が知られている。なお、この種の蓄電装置は、特許文献１を含む種々の文献に開示されている。
【０００３】
この種の蓄電装置において、各蓄電素子に、絶縁材料からなるキャップが外部端子を覆うように装着されることがある。これにより、外部端子と電線のような周辺部材との間での接触及び短絡が防止される。
【０００４】
また、この場合において、キャップの上面に突出部が設けられることがあり、該突出部が、蓄電素子の上方に配置された天板の穴に差し込まれることで、蓄電素子がキャップを介して天板に位置決め及び保持され得る。
【０００５】
一般に、角形の蓄電素子の表面は、一対の外部端子が設けられる長方形状の端子面部と、端子面部とは反対側に配置される長方形状の底面部と、端子面部及び底面部の長辺間を繋ぐ一対の長側面部と、端子面部及び底面部の短辺間を繋ぐ一対の短側面部とを有する。一対の外部端子は、端子面部の長手方向の両端近傍部に設けられ、外部端子毎に、蓄電素子の一対の長側面部と一方の短側面部の外側に対向する周壁を有するキャップが装着される。
【先行技術文献】
【特許文献】
【０００６】
【特許文献１】特開２０１５−１２２３３７号公報
【発明の概要】
【発明が解決しようとする課題】
【０００７】
しかしながら、上記のように角形の蓄電素子に装着されたキャップが、端子面部の長手方向において、蓄電素子の一方の短側面部によって一方側のみから位置決めされる場合、蓄電素子に対するキャップのがたつきが生じやすい。
【０００８】
そのため、蓄電装置の製作において、所定位置に位置決めされた蓄電素子に対して、キャップを装着して、更に、該キャップを介して天板のような保持体を取り付けるとき、位置決めが不確実であるキャップに対して保持体を円滑に取り付けられないことがある。
【０００９】
そこで、本発明は、蓄電素子の外部端子を覆うキャップのがたつきを抑制できる蓄電装置を提供することを課題とする。
【課題を解決するための手段】
【００１０】
本発明は、
長方形状の端子面部と、前記端子面部に設けられた外部端子と、前記端子面部の短辺に連なる短側面部とを有する蓄電素子と、
前記外部端子を被覆するキャップとを備え、
前記端子面部に被係合部が設けられ、
前記キャップは、前記端子面部の長手方向の一方側から前記短側面部に押し付けられる第１押し付け部と、前記端子面部の長手方向の他方側から前記被係合部に押し付けられる第２押し付け部とを有する、蓄電装置を提供する。
【００１１】
なお、本明細書でいう「キャップ」は、外部端子毎に個別に設けられたものであってもよいし、個々の外部端子を覆う複数の被覆部を一体化したものであってもよい。
【００１２】
上記の蓄電装置によれば、外部端子を覆うキャップが蓄電素子に装着されたとき、キャップの第１押し付け部が端子面部の長手方向の一方側から蓄電素子の短側面部に押し付けられ、キャップの第２押し付け部が端子面部の長手方向の他方側から端子面部の被係合部に押し付けられることで、端子面部の長手方向において、蓄電素子に対するキャップのがたつきが抑制される。これにより、蓄電素子がキャップを介して天板のような保持体に保持されるとき、蓄電素子に対して確実に位置決めされたキャップに対して保持体を円滑に取り付けることができる。
【００１３】
前記キャップは、前記外部端子を取り囲む周壁部と、前記周壁部から外側に突出した突出片とを有してもよく、前記第２押し付け部は、前記突出片の先端部に設けられてもよい。
【００１４】
この場合、キャップの突出片を撓ませた状態で、突出片の先端部に設けられた第２押し付け部を端子面部の被係合部に係合させることで、第２押し付け部による被係合部への押し付けにおいて、突出片の弾性力を作用させることができるため、端子面部の長手方向においてキャップを強固に固定できる。
【００１５】
前記端子面部に、センサを取り付けるためのセンサ取付部が設けられる場合、前記キャップにおける前記周壁部と前記第２押し付け部との間に隙間が形成されてもよく、前記隙間は、前記センサから延びる電線を通すための開口とされてもよい。
【００１６】
この場合、端子面部に取り付けられたセンサから延びる電線を、キャップの周壁部と第２押し付け部との間に形成された開口を通るように配置することができるため、電線の配索自由度が向上する。
【００１７】
前記センサ取付部と前記開口は、前記端子面部の短手方向に並べて配置されてもよい。
【００１８】
この場合、センサから端子面部の短手方向に延びるように電線を配策することができるため、端子面部上を通る電線部分が削減されることで、端子面部に設けられた安全弁のような種々の金属部品、又は端子面部自体との接触による電線の摩耗を抑制できる。また、センサから端子面の長辺側へ最短距離で電線が導かれることで、電気部品及び電線のレイアウトによっては電線の短縮を図ることが可能になる。
【００１９】
前記キャップの前記周壁部は、前記短側面部に対向する対向壁部を有してもよく、前記第１押し付け部は、前記対向壁部の内面に設けられた突起部であってもよい。
【００２０】
この場合、蓄電素子の短側面部とキャップの対向壁部との間に第１押し付け部としての突起部が介在するため、蓄電素子の膨張の有無、並びに、蓄電素子及びキャップの寸法誤差の有無に関わらず、短側面部に対して突起部を確実に密着させることができる。これにより、短側面部の長手方向に関して、キャップをより強固に固定できる。
【００２１】
前記キャップの前記周壁部の軸方向の一方側が開口している場合、前記突起部は、前記軸方向に延びるリブ状に形成されてもよい。
【００２２】
この場合、キャップが周壁部の開口している側から軸方向に沿って蓄電素子に差し込まれるときに、キャップの対向壁部の内面に設けられた軸方向に延びるリブ状の突起部と、蓄電素子の短側面部との間に生じる摩擦が軽減されるため、蓄電素子に対してキャップをスムーズに装着することができる。
【００２３】
前記突起部は、前記軸方向の前記一方側に向かって次第に突出高さが低くなるテーパ形状を有してもよい。
【００２４】
この場合、上記のようにキャップが蓄電素子に差し込まれるとき、突起部における蓄電素子の短側面部に当たり始める部分の突出高さが低いことにより、短側面部に対する突起部の引っ掛かりをより効果的に軽減できる。また、突起部における突出高さが高い部分において、短側面部に対して高い密着性が得られるため、蓄電素子に対してキャップを強固に固定できる。
【００２５】
前記蓄電素子が、前記端子面部の一方の長辺に連なる第１長側面部と、前記端子面部の他方の長辺に連なる第２長側面部とを有する場合、前記キャップは、前記端子面部の短手方向の一方側から前記第１長側面部に押し付けられる第３押し付け部と、前記端子面部の短手方向の他方側から前記第２長側面部に押し付けられる第４押し付け部とを有してもよい。
【００２６】
この場合、キャップの第３押し付け部と第４押し付け部が蓄電素子の第１長側面部と第２長側面部にそれぞれ押し付けられることで、蓄電素子に対してキャップを端子面部の短手方向にも固定できる。したがって、蓄電素子に対するキャップのがたつきをより確実に抑制できる。
【００２７】
好ましくは、本発明に係る蓄電装置は、前記キャップを介して前記蓄電素子を保持する保持体を備える。
【００２８】
これにより、蓄電素子と保持体との間にキャップが介在することで短絡を防止しつつ、保持体によって蓄電素子を位置決め及び保持することができる。また、上記のように蓄電素子に対してキャップが確実に位置決めされることで、保持体に対する蓄電素子の位置決め精度が向上する。また、保持体に対する蓄電素子のがたつきが抑制されることで、蓄電装置の剛性が高められる。
【発明の効果】
【００２９】
本発明によれば、蓄電素子の外部端子を覆うキャップの蓄電素子に対するがたつきを抑制できる。
【図面の簡単な説明】
【００３０】
【図１】本発明の実施形態に係る組電池の分解斜視図。
【図２】組電池を上方から見た斜視図。
【図３】組電池を下方から見た斜視図。
【図４】遮熱板及びその周辺部を示す分解斜視図。
【図５】単電池間の接続を示す平面図。
【図６】単電池及び周辺部品の分解斜視図。
【図７】周辺部品が組み付けられた単電池の斜視図。
【図８】上キャップを上方から見た斜視図。
【図９】上キャップを下方から見た斜視図。
【図１０】上キャップ及びその周辺部を示す図２のＸ−Ｘ線断面図。
【図１１】上キャップ及びその周辺部を示す図２のＸＩ−ＸＩ線断面図。
【図１２】上キャップ及びその周辺部を示す図１１のＸII−ＸII線断面図。
【図１３】上キャップ及びその周辺部を示す図１１のＸIII−ＸIII線断面図。
【図１４】下キャップを上方から見た斜視図。
【図１５】下キャップを下方から見た斜視図。
【図１６】下キャップ及びその周辺部を単電池の短手方向から見た断面図。
【図１７】下キャップ及びその周辺部を単電池の長手方向から見た断面図。
【発明を実施するための形態】
【００３１】
以下、本発明に係る実施形態を添付図面に従って説明する。なお、以下の説明では、必要に応じて特定の方向や位置を示す用語（例えば、「上」、「下」、「右」、「左」、「側」、「端」を含む用語）を用いるが、それらの用語の使用は図面を参照した発明の理解を容易にするためであって、それらの用語の意味によって本発明の技術的範囲が限定されるものではない。つまり、それらの用語は、添付図面に示される蓄電装置の姿勢における方向を示すものであり、必ずしも実際の使用状態における方向と一致するものでない。また、以下の説明は、本質的に例示に過ぎず、本発明、その適用物、あるいは、その用途を制限することを意図するものではない。
【００３２】
図１〜図４は、本発明の実施形態に係る蓄電装置としての組電池（電池モジュール）１を示す。組電池１は、例えば１２個の角形の単電池（電池セル）２と、これらの単電池２を保持する保持体４０とを備える。単電池２は、例えば、リチウムイオン二次電池のような非水電解質二次電池である。
【００３３】
図６及び図７を参照すると、個々の単電池２は、電解液及び電極体を収容する電池容器３と、電池容器３の上端側の開口を封止する蓋体５とを備える。
【００３４】
本実施形態における電池容器３は、長方形状の底面部３ａと、底面部３ａの周縁から上方に延びる側壁３ｂ，３ｃ，３ｄ，３ｅとを備える。側壁は、底面部３ａの長辺部から立ち上がり互いに対向する第１及び第２長側面部３ｂ，３ｃと、これらの長側面部３ｂ，３ｃよりも小面積であり、底面部３ａの短辺部から立ち上がり互いに対向する第１及び第２短側面部３ｄ，３ｅとを備える。
【００３５】
蓋体５も概ね長方形状であり、電池容器３と蓋体５によって扁平な直方体状の外装体が構成されている。電池容器３の側壁３ｂ〜３ｅの外周は、絶縁シート（図示せず）によって覆われている。
【００３６】
蓋体５の長手方向両端部には正負の外部端子７Ａ，７Ｂが設けられている。外部端子７Ａ，７Ｂはボルト端子であり、軸部７ａ，７ｂが上方を向く姿勢でパッキン９Ａ，９Ｂを介して蓋体５に取り付けられている。パッキン９Ａ，９Ｂには、外部端子７Ａ，７Ｂの頭部（図示せず）と、電池容器３内の電極体（図示せず）に集電体（図示せず）を介して電気的に接続された接続杆１０Ａ，１０Ｂとが収容されている。
【００３７】
接続杆１０Ａ，１０Ｂの一端部には、外部端子７Ａ，７Ｂの軸部７ａ，７ｂが貫通され、接続杆１０Ａ，１０Ｂの他端部には、細幅の検査用端子部１０ａ，１０ｂが設けられている。
【００３８】
外部端子７Ａ，７Ｂは、バスバー１４を介して別の単電池２における異なる極性の外部端子７Ａ，７Ｂに電気的に接続される。バスバー１４は、直線状に延びる板状の導電部材であり、バスバー１４の両端部には貫通穴１４ａ，１４ｂが設けられている。バスバー１４において、一方の貫通穴１４ａは他方の貫通穴１４ｂよりも大径とされている。
【００３９】
バスバー１４の一方の貫通穴１４ａ，１４ｂが外部端子７Ａ，７Ｂの軸部７ａ，７ｂに挿通され、該軸部７ａ，７ｂにバスバー１４の上側からねじ込まれたナット１１が締め付けられることで、バスバー１４の一端部が外部端子７Ａ，７Ｂに固定される。
【００４０】
図５の模式図に示すように、組電池１を構成する１２個の単電池２は、２列に並べて配置されている。各列を構成する６個の単電池２は、隣接する単電池２の電池容器３の長側面部３ｂ，３ｃ同士が対向するように並んでいる。一方の列に属する単電池２と、他方の列に属する単電池２は、短側面部３ｄ，３ｅ同士が対向するように隣接して配置されている。
【００４１】
１２個の単電池２は、蓋体５の長手方向及び短手方向に隣接する外部端子７Ａ，７Ｂ同士の極性が互いに異なるように配置されている。隣接する外部端子７Ａ，７Ｂ同士がバスバー１４によって電気的に接続されることで、１２個の単電池２は直列に接続されている。
【００４２】
単電池２の２つの列のうち、一方の列（図５の上側の列）の一端側（図５の左側）に配置された単電池２の正極外部端子７Ａには、Ｌ字形に屈曲したバスバー１５Ａの一端部がナット１１によって固定されており、バスバー１５Ａの他端部に、組電池１の正極外部端子１７Ａが設けられている。同じ列の他端側（図５の右側）に配置された単電池２の負極外部端子７Ｂには、Ｌ字形に屈曲したバスバー１５Ｂの一端部がナット１１によって固定されており、バスバー１５Ｂの他端部に、組電池１の負極外部端子１７Ｂが設けられている。組電池１の外部端子１７Ａ，１７Ｂは、例えば、バスバー１５Ａ，１５Ｂと一体のボルト状端子で構成されている。
【００４３】
図６及び図７に示すように、個々の単電池２には、一対の上キャップ２０と１つの下キャップ３０が装着される。上キャップ２０及び下キャップ３０は、例えばポリプロピレン樹脂のような樹脂からなる。
【００４４】
上キャップ２０は、単電池２の外部端子７Ａ，７Ｂを覆うように単電池２の電池容器３の上端側に装着される。組電池１を構成する１２個の単電池２の２４個の外部端子７Ａ，７Ｂのうち、組電池１の外部端子１７Ａ，１７Ｂを有するバスバー１５Ａ，１５Ｂが固定される外部端子７Ａ，７Ｂを除いた残り２２個の外部端子７Ａ，７Ｂが、それぞれ１つの上キャップ２０に覆われる。上キャップ２０は、単電池２の外部端子７Ａ，７Ｂの上方に配置される頂壁部２１と、頂壁部２１から上方に突出した例えば筒状の上凸部２２を備える。
【００４５】
下キャップ３０は、単電池２の電池容器３の底面部３ａを覆うように電池容器３の下端側に装着される。下キャップ３０は、組電池１を構成する全ての単電池２に１つずつ装着される。下キャップ３０は、単電池２の電池容器３の底面部３ａの下方に配置される底壁部３１と、底壁部３１から下方に突出した例えば筒状の下凸部３２とを備える。
【００４６】
上キャップ２０及び下キャップ３０のより具体的な構成については後に説明する。
【００４７】
図１〜図４に示すように、１２個の単電池２は、上記のように２列に並べて配置され且つ各列において隣接する単電池２間に遮熱板７０（特に図４参照）が介装されるように、保持体４０に保持される。
【００４８】
保持体４０は、上キャップ２０と下キャップ３０が装着された単電池２を図において上下方向に挟み込んで保持する第１保持部としての天板４１と第２保持部としての底板４７とを備える。さらに、保持体４０は、天板４１と底板４７とを連結する一対の側板４５，４６を備える。一方の側板４６には、制御基板（図示せず）を有する監視装置６０が取り付けられている。
【００４９】
天板４１は、金属板をプレス成形等で概ね長方形状に成形した一体構造である。天板４１には、上キャップ２０の上凸部２２が嵌合する複数の円形の貫通穴４２が厚み方向に貫通するように形成されている。天板４１には、上キャップ２０と同数の貫通穴４２が設けられ、個々の貫通穴４２は、上キャップ２０の上凸部２２に対応する位置に形成されている。
【００５０】
天板４１には、複数の通気用の開口部４３が厚み方向に貫通するように形成されている。開口部４３は、単電池２の列に沿って２列に並ぶように配置されている。開口部４３は、隣接する単電池２間の隙間の上方に配置されている。開口部４３の形状は、例えば、平面視における単電池２の電池容器３の長手方向（以下、単に「単電池２の長手方向」ともいう）に沿った長円状である。
【００５１】
天板４１の４つのコーナ部のうち、バスバー１５Ａ，１５Ｂを介して組電池１の外部端子１７Ａ，１７Ｂに接続される外部端子７Ａ，７Ｂに対応する２つのコーナ部には、これらの外部端子７Ａ，７Ｂを露出させる切欠部４１ａ，４１ｂが設けられている。各切欠部４１ａ，４１ｂには、対応する外部端子７Ａ，７Ｂを覆う端子カバー５２Ａ，５２Ｂが着脱可能とされている。
【００５２】
底板４７は、金属板をプレス成形等で概ね長方形状に成形した一体構造である。底板４７には、下キャップ３０の下凸部３２が嵌合する複数の円形の貫通穴４８が厚み方向に貫通するように形成されている。個々の貫通穴４８は、下キャップ３０の下凸部３２に対応する位置に形成されている。
【００５３】
底板４７には、複数の通気用の開口部４９が厚み方向に貫通するように形成されている。開口部４９は、単電池２の列に沿って２列に並ぶように配置されている。開口部４９は、隣接する単電池２間の隙間の下方、及び、単電池２の各列の一端部の下方に配置されている。開口部４９の形状は、例えば、単電池２の長手方向に沿った細長い長方形状である。
【００５４】
側板４５，４６は、金属板をプレス成形等により概ね長方形状に成形した一体構造である。側板４５，４６の上端はねじ留めにより天板４１に連結され、側板４５，４６の下端はねじ留めにより底板４７に連結されている。側板４５，４６は、遮熱板７０の端部が差し込まれる複数のスロット４５ａ，４６ａを備える。個々のスロット４５ａ，４６ａは、隣接する単電池２間の隙間に対応する位置に、上下方向に延びるように形成されている。
【００５５】
図４に示すように、遮熱板７０は、側板４５，４６に直角な方向に延びる細長い板材であり、単電池２の長側面部３ｂ，３ｃに平行に配置されている。遮熱板７０の両端部７１，７２は、上端及び下端コーナ部に切り欠きが設けられることで上下方向の幅が縮小されている。遮熱板７０は、その両端部７１，７２が側板４５，４６のスロット４５ａ，４６ａに差し込まれることで、側板４５，４６間に跨がって保持される。これにより、遮熱板７０は、単電池２の２つの列を横切るように配置される。
【００５６】
遮熱板７０には、上方に突出する一対の突出部７３，７４が一体に設けられている。遮熱板７０における突出部７３，７４以外の部分は、単電池２の電池容器３の上端よりも下側に配置され、突出部７３，７４は、電池容器３の上端よりも上側に突出して配置される。突出部７３，７４の上端部には、温度センサ８０（図１３参照）のようなセンサに接続された電線が通されるガイド部材７８が取り付けられている。
【００５７】
遮熱板７０の下端は、下キャップ３０の上端よりも上側に配置され、これにより、遮熱板７０と下キャップ３０との干渉が回避される。遮熱板７０の突出部７３，７４は、単電池２の長手方向において一対の上キャップ２０の間に配置され、遮熱板７０における突出部７３，７４以外の部分の上端は上キャップ２０の下端よりも下側に配置される。これにより、遮熱板７０と上キャップ２０との干渉が回避される。
【００５８】
図１〜図３を参照すると、単電池２の上端側に装着された上キャップ２０は、上凸部２２が天板４１の貫通穴４２に嵌合し、頂壁部２１が天板４１の下面に当接している。一方、単電池２の下端側に装着された下キャップ３０は、下凸部３２が底板４７の貫通穴４８に嵌合し、底壁部３１が底板４７の上面に当接している。天板４１と底板４７は、上キャップ２０と下キャップ３０を介して１２個の単電池２を挟み込んで保持した状態で、側板４５，４６により互いに連結されている。これにより、１２個の単電池２は、天板４１によって上キャップ２０を介して外部端子７Ａ，７Ｂ側から保持され、底板４７によって下キャップ３０を介して外部端子７Ａ，７Ｂとは反対側から保持される。
【００５９】
組電池１の組み立てにおいては、下キャップ３０を介して単電池２を底板４７に取り付け、単電池２の外部端子７Ａ，７Ｂ間をバスバー１４で接続した後に、上キャップ２０を介して単電池２に天板４１が取り付けられる。
【００６０】
ただし、保持体４０は、上キャップ２０及び下キャップ３０を介して単電池２を挟み込んで保持できる限り、具体的な構成は特に限定されない。
【００６１】
以下、上キャップ２０及び下キャップ３０の具体的構成について説明する。以下の説明では、平面視における（外部端子７Ａ，７Ｂ側から見て）電池容器３の長手方向を「前後方向」、短手方向を「左右方向」ともいう。また、電池容器３の長手方向中央側を「前側」、電池容器３の長手方向端部側を「後側」ともいう。
【００６２】
主として図８〜図１３を参照して、上キャップ２０及びその周辺部の構成について説明する。
【００６３】
上キャップ２０の頂壁部２１は長方形状である。頂壁部２１の長辺部２１ａ，２１ｂは前後方向に延びるように配置され、頂壁部２１の短辺部２１ｃ，２１ｄは左右方向に延びるように配置される。頂壁部２１の下面にはリブ構造２１ｇが設けられている。
【００６４】
頂壁部２１から上方に突出した上凸部２２の外周面は、上端に向かって次第に先細りするテーパ状に形成されている。上凸部２２の先端面２２ａは概ね平坦であり、先端面２２ａには検査用の貫通穴２２ｂが設けられている。
【００６５】
図１０に示すように、検査用の貫通穴２２ｂは、キャップ２０で覆われる外部端子７Ａ，７Ｂの上方に配置される。上凸部２２は、天板４１の貫通穴４２を貫通して外部に突出して配置され、これにより、検査用の貫通穴２２ｂは、天板４１の上側すなわち保持体４０の外側に配置される。そのため、組電池１から天板４１を取り外さなくても、テスタの電極等を検査用の貫通穴２２ｂに差し込んで外部端子７Ａ，７Ｂに接触させることができ、これにより、天板４１を取り外すことなく個々の単電池２の電圧等の検査が可能になる。
【００６６】
図８〜図１１に示すように、上キャップ２０は、外部端子７Ａ，７Ｂを径方向外側から取り囲む周壁部２０ａを備えている。周壁部２０ａは、頂壁部２１の前側の短辺部２１ｃから下方に延びる前壁部２３と、頂壁部２１の後側の短辺部２１ｄから下方に延びる後壁部２４と、前壁部２３と後壁部２４の左右方向の端部同士を繋ぐ一対の側壁部２５，２６とを備えている。周壁部２０ａの軸方向の反頂壁部２１側は開口している。上キャップ２０は、単電池２に対して上方から下方に向かう差し込み方向に沿って相対移動されることで、周壁部２０ａの開口している側から、単電池２に装着される。
【００６７】
頂壁部２１の左右方向両端部と側壁部２５，２６の上端部とのコーナ部には、断面Ｌ字状の窪み部２１ｅ，２１ｆが設けられている。窪み部２１ｅ，２１ｆは、頂壁部２１の前端から後端にかけて前後方向に延びる溝状に形成されている。
【００６８】
後壁部２４の下端２４ａ及び側壁部２５，２６の下端２５ａ，２６ａは同じ高さに配置され、後壁部２４と側壁部２５，２６とのコーナ部において、これらの下端２４ａ，２５ａ，２６ａは連続している。前壁部２３の下端２３ａは、後壁部２４の下端２４ａ及び側壁部２５，２６の下端２５ａ，２６ａよりも上側に配置される。
【００６９】
図９に示すように、上キャップ２０の内側には、後壁部２４の内面と側壁部２５，２６の内面に跨がる内側連結部２７ａ，２７ｂが設けられている。内側連結部２７ａ，２７ｂの下端２７ｃ，２７ｄは、前壁部２３の下端２３ａと同じ高さに配置される。上キャップ２０が単電池２に装着された状態において、前壁部２３の下端２３ａは、電池容器３の長側面部３ｂ，３ｃ上端に当接し（図７参照）、内側連結部２７ａ，２７ｂの下端２７ｃ，２７ｄは、電池容器３の長側面部３ｂ，３ｃの上端及び短側面部３ｄ，３ｅの上端に当接する（図１０及び図１１参照）。
【００７０】
前壁部２３には、温度センサ８０（図１１及び図１３参照）のようなセンサを配置するための検査用開口部２３ｂが設けられている。検査用開口部２３ｂは、例えば、前壁部２３の下端２３ａに開放した切り欠きで構成される。接続杆１０Ａ，１０Ｂの検査用端子部１０ａ，１０ｂはセンサ取付部とされており、検査用端子部１０ａ，１０ｂには、ねじ留め等によってセンサが固定される。
【００７１】
後壁部２４には、バスバー１４を挿通させるためのバスバー開口部２４ｂが設けられている。バスバー開口部２４ｂは、例えば、後壁部２４の下端２４ａに開放した切り欠きで構成される。バスバー開口部２４ｂの上縁は、内側連結部２７ａ，２７ｂの下端２７ｃ，２７ｄよりも上側に配置される。
【００７２】
後壁部２４の内面には第１押し付け部としての突起部６４ａ，６４ｂが設けられている。突起部６４ａ，６４ｂは、例えば、バスバー開口部２４ｂの右側と左側に１つずつ設けられている。個々の突起部６４ａ，６４ｂは、上下方向に延びるリブ状に形成されている。突起部６４ａ，６４ｂの下端は、後壁部２４の下端２４ａに連なっており、突起部６４ａ，６４ｂの上端は、内側連結部２７ａ，２７ｂの下端２７ｃ，２７ｄに連なっている。
【００７３】
後壁部２４は、電池容器３の短側面部３ｄ，３ｅに対向する対向壁部であり、短側面部３ｄ，３ｅには、後壁部２４の内面から突出した突起部６４ａ，６４ｂが押し付けられる（図１１参照）。
【００７４】
側壁部２５，２６には、バスバー１４を挿通させるためのバスバー開口部２５ｂ，２６ｂが設けられている。バスバー開口部２５ｂ，２６ｂは、例えば、側壁部２５，２６の下端２５ａ，２６ａに開放した切り欠きで構成される。バスバー開口部２５ｂ，２６ｂの上縁は、内側連結部２７ａ，２７ｂの下端２７ｃ，２７ｄよりも上側に配置される。
【００７５】
一方の側壁部２５の内面には第３押し付け部としての突起部６５ａ，６５ｂが設けられ、他方の側壁部２６の内面には第４押し付け部としての突起部６６ａ，６６ｂが設けられている。各側壁部２５，２６において、突起部６５ａ，６５ｂ，６６ａ，６６ｂは、例えば、バスバー開口部２５ｂ，２６ｂの前側及び後側に１つずつ設けられている。
【００７６】
個々の突起部６５ａ，６５ｂ，６６ａ，６６ｂは、上下方向に延びるリブ状に形成されている。突起部６５ａ，６５ｂ，６６ａ，６６ｂの下端は、側壁部２５，２６の下端に連なっている。前側の突起部６５ａ，６６ａの上端は、頂壁部２１の下面のリブ構造２１ｇに連なっており、後側の突起部６５ｂ，６６ｂの上端は、内側連結部２７ａ，２７ｂの下端２７ｃ，２７ｄに連なっている。
【００７７】
図１０に示すように、側壁部２５，２６は、電池容器３の長側面部３ｂ，３ｃに対向する対向面部であり、長側面部３ｂ，３ｃには、側壁部２５，２６から突出した突起部６５ａ，６５ｂ，６６ａ，６６ｂが押し付けられる。側壁部２５，２６の突起部６５ａ，６５ｂ，６６ａ，６６ｂは、下端に向かって次第に突出高さが低くなるテーパ状に形成されている。
【００７８】
図１１及び図１３に示すように、接続杆１０Ａ，１０Ｂの検査用端子部１０ａ，１０ｂは、上キャップ２０の前壁部２３よりも前側に突出して配置される。そのため、検査用端子部１０ａ，１０ｂに取り付けられる温度センサ８０のようなセンサは、前壁部２３よりも前側に突出して配置されることになる。
【００７９】
図８、図９及び図１１に示すように、検査用端子部１０ａ，１０ｂに取り付けられるセンサを保護するために、上キャップ２０は、前壁部２３から前側すなわち後壁部２４とは反対側に突出した突出片２８，２９を更に備えている。
【００８０】
突出片２８，２９は左右方向に間隔を空けて一対設けられている。突出片２８，２９は、前壁部２３に垂直に配置された板状部であり、前壁部２３は、突出片２８，２９を支持する支持面部とされている。
【００８１】
個々の突出片２８，２９は、前壁部２３から前方に延びる水平部２８ａ，２９ａと、水平部２８ａ，２９ａの前端部から下方に延びる垂直部２８ｂ，２９ｂとを備えている。水平部２８ａ，２９ａの下端は、前壁部２３の検査用開口部２３ｂの上縁に連なっている。垂直部２８ｂ，２９ｂの後端は、前壁部２３の外側の面よりも前側に配置されている。突出片２８，２９の下端と後端との間のコーナ部には、水平部２８ａ，２９ａの下端と垂直部２８ｂ，２９ｂの後端とからなるＬ字状の輪郭を有する切り欠き状の隙間２８ｃ，２９ｃが形成されている。
【００８２】
図７及び図１３に示すように、一対の突出片２８，２９は、接続杆１０Ａ，１０Ｂの検査用端子部１０ａ，１０ｂを左右から挟み込むように配置される。また、突出片２８，２９は、検査用端子部１０ａ，１０ｂよりも前側に突出して配置され、検査用端子部１０ａ，１０ｂに取り付けられたセンサよりも上側に突出して配置される。これにより、一対の突出片２８，２９は、上キャップ２０の前壁部２３よりも前側に突出したセンサを前方、上方及び左右方向から保護するセンサ保護部として機能する。
【００８３】
図１３に示すように、パッキン９Ａ，９Ｂは、検査用端子部１０ａ，１０ｂに左右方向に隣接して配置された一対の被係合部９ａ，９ｂを有し、これらの被係合部９ａ，９ｂの前側に、それぞれ突出片２８，２９の垂直部２８ｂ，２９ｂが配置される。図１１に示すように、突出片２８，２９の垂直部２８ｂ，２９ｂの下端は、単電池２の蓋体５の上方に隙間を空けて配置され、垂直部２８ｂ，２９ｂの下端における後側コーナ部は、蓋体５の上面から突出したパッキン９Ａ，９Ｂの被係合部９ａ，９ｂに前側から係合される第２押し付け部としての係合部２８ｄ，２９ｄとされている。
【００８４】
図１２及び図１３に示すように、以上のように構成された上キャップ２０が単電池２に装着されると、単電池２における外部端子７Ａ，７Ｂの周辺部は、上キャップ２０の側壁部２５，２６の突起部６５ａ，６５ｂ，６６ａ，６６ｂによって左右両側から押し付けられるとともに、上キャップ２０の突出片２８，２９の係合部２８ｄ，２９ｄと後壁部２４の突起部６４ａ，６４ｂとによって前後両側から押し付けられる。また、単電池２は、右側、左側及び後側からそれぞれ複数の突起部６４ａ，６４ｂ，６５ａ，６５ｂ，６６ａ，６６ｂによって押し付けられ、前側からも複数の係合部２８ｄ，２９ｄによって押し付けられる。
【００８５】
このとき、左右の側壁部２５，２６の突起部６５ａ，６５ｂ，６６ａ，６６ｂは、突出方向に圧縮されるように弾性変形しながら電池容器３の表面に密着する。また、後壁部の突起部６４ａ，６４ｂも、突出方向に圧縮されるように弾性変形可能であり、前壁部２３に支持された突出片２８，２９は、パッキン９Ａ，９Ｂの被係合部９ａ，９ｂによって係合部２８ｄ，２９ｄが前側へ押し込まれるように弾性変形可能である。そのため、単電池２の電池容器３の膨張の有無、並びに、単電池２及び上キャップ２０の寸法誤差の有無に関わらず、上キャップ２０は、単電池２に対して前側、後側、右側及び左側からそれぞれ密着して装着される。
【００８６】
なお、上キャップ２０の材料としてポリカーボネート樹脂等に比べて軟質のポリプロピレン樹脂が用いられることで、突起部６４ａ，６４ｂ，６５ａ，６５ｂ，６６ａ，６６ｂ及び突出片２８，２９が弾性変形しやすくなる。
【００８７】
このように、単電池２は、上キャップ２０の突起部６４ａ，６４ｂ，６５ａ，６５ｂ，６６ａ，６６ｂ及び係合部２８ｄ，２９ｄによって前後方向の両側及び左右方向の両側から強固に挟み込まれる。そのため、上キャップ２０は、単電池２に対するがたつきが抑制され、単電池２に対して確実に位置決めされる。
【００８８】
したがって、底板４７に取り付けられた１２個の単電池２に、上キャップ２０を介して天板４１を取り付けるとき、単電池２に装着された全ての上キャップ２０の上凸部２２は、天板４１の貫通穴４２に対して精度良く位置決めされているため、全ての貫通穴４２に上凸部２２を円滑に差し込むことができる。
【００８９】
また、単電池２に対する上キャップ２０のがたつきが抑制されることで、天板４１に対する単電池２のがたつきも抑制され、これによって、組電池１の剛性の向上を図ることができる。
【００９０】
さらに、上キャップ２０は左右対称の構造を有するため、単電池２における正負の外部端子７Ａ，７Ｂのいずれの周辺部に上キャップ２０を装着しても、同様の装着状態が得られる。そのため、正負いずれの外部端子７Ａ，７Ｂの被覆にも、同じ上キャップ２０を用いることができる。
【００９１】
また、上キャップ２０の側壁部２５，２６の突起部６５ａ，６５ｂ，６６ａ，６６ｂは、上キャップ２０の差し込み方向（上側から下側に向かう方向）に延びるリブ状であり、且つ、下端に向かって次第に突出高さが低くなるテーパ状に形成されているため、電池容器３に対する突起部６５ａ，６５ｂ，６６ａ，６６ｂの引っ掛かりが軽減され、単電池２に対して上キャップ２０をスムーズに装着することができる。
【００９２】
なお、本実施形態では、側壁部２５，２６の突起部６５ａ，６５ｂ，６６ａ，６６ｂが上下方向の全長に亘ってテーパ状に形成されているが、これらの突起部６５ａ，６５ｂ，６６ａ，６６ｂの下端部のみに、下端に向かって次第に突出高さが低くなるテーパ部を設けるようにしてもよい。
【００９３】
また、本実施形態において、後壁部２４の突起部６４ａ，６４ｂは、突出片２８，２９の係合部２８ｄ，２９ｄがパッキン９Ａ，９Ｂの被係合部９ａ，９ｂに係合されるよりも先に、電池容器３の短側面部３ｄ，３ｅに押し当てられるため、後壁部２４の突起部６４ａ，６４ｂに上記のようなテーパ部を設けなくても、上キャップ２０の装着に支障を来すような引っ掛かりは生じ難い。
【００９４】
ただし、後壁部２４の突起部６４ａ，６４ｂも、上記と同様に全長に亘ってテーパ状に形成したり、下端部のみにテーパ部を設けたりしてもよい。
【００９５】
さらに、図１１及び図１３に示すように、上キャップ２０の突出片２８，２９の下端に設けられた係合部２８ｄ，２９ｄと、突出片２８，２９を支持する前壁部２３との間には、上記の切り欠き状の隙間２８ｃ，２９ｃが設けられており、この隙間２８ｃ，２９ｃは、検査用端子部１０ａ，１０ｂと左右方向に並ぶように配置されている。したがって、隙間２８ｃ，２９ｃを、検査用端子部１０ａ，１０ｂに取り付けられた温度センサ８０のようなセンサから左右方向に延びる電線８２を通すための開口として利用できる。
【００９６】
そのため、検査用端子部１０ａ，１０ｂに取り付けられたセンサに接続される電線８２の配索は、センサから上方または前方に延ばすような配索に限定されず、センサから左右方向に延ばすような配索も採用することが可能になり、配索の自由度が向上する。また、電線８２を左右方向に延びるように配策する場合、蓋体５上を通る電線部分が削減されることで、蓋体５に設けられた安全弁のような種々の金属部品、又は蓋体５自体との接触による電線８２の摩耗を抑制できる。さらに、センサから蓋体５の長辺側へ最短距離で電線８２が導かれることで、配索の仕方によっては電線８２の短縮を図ることが可能になる。
【００９７】
また、上キャップ２０の頂壁部２１には前後方向に延びる溝状の窪み部２１ｅ，２１ｆが設けられているため、頂壁部２１と天板４１との間に隙間を設けなくても、頂壁部２１の上面よりも低い窪み部２１ｅ，２１ｆに電線８２を通すことで、上キャップ２０の前側から後側へ電線８２を導くことができる。これによって、電線８２の配索の自由度が更に向上する。
【００９８】
次に、主として図１４〜図１７を参照して、下キャップ３０及びその周辺部の構成について説明する。
【００９９】
下キャップ３０の底壁部３１は長方形状である。底壁部３１の長辺部は前後方向に延びるように配置され、底壁部３１の短辺部は左右方向に延びるように配置される。底壁部３１の上面には、前後方向に延びる複数のリブ９１ａ，９１ｂ，９１ｃが設けられている。
【０１００】
底壁部３１から下方に突出した上記の下凸部３２は、底壁部３１の長手方向両端部にそれぞれ設けられている。また、底壁部３１の下面には、一対の下凸部３２の間において位置決め用の突出部３９が設けられている。突出部３９は、前後方向に延びるリブ状に形成されている。突出部３９は、下キャップ３０が所定の向きであるときのみ底板４７の開口部４３に嵌まり込むように配置されており、下キャップ３０が異なる向きである場合は、底板４７に突出部３９が干渉するようになっている。
【０１０１】
下キャップ３０は、底壁部３１の長辺部から上方に延びる一対の長側壁部３３，３４と、底壁部３１の短辺部から上方に延びる一対の短側壁部３５，３６とを備えている。一対の短側壁部３５，３６は、一対の長側壁部３３，３４の前後方向の端部同士を繋いでいる。下キャップ３０は、単電池２に対して下方から上方に向かう差し込み方向に沿って相対移動されることで、単電池２に装着される。
【０１０２】
各長側壁部３３，３４には、通気用の開口部３３ａ，３４ａが設けられている。一方の長側壁部３３の開口部３３ａは、長側壁部３３の上端に開放した切り欠き状に形成され、他方の長側壁部３４の開口部３４ａは、長方形状に形成されている。これらの開口部３３ａ，３４ａは、前後方向に延びるように細長く形成されている。
【０１０３】
長側壁部３３，３４及び短側壁部３５，３６の内面には、それぞれ突起部９３ａ，９３ｂ，９４ａ，９４ｂ，９５ａ，９５ｂ，９６ａ，９６ｂが設けられている。各長側壁部３３，３４において、突起部９３ａ，９３ｂ，９４ａ，９４ｂは、例えば、開口部３３ａ，３４ａの前後に１つずつ設けられている。各短側壁部３５，３６において、突起部９５ａ，９５ｂ，９６ａ，９６ｂは、例えば、左右方向に間隔を空けて一対設けられている。
【０１０４】
個々の突起部９３ａ，９３ｂ，９４ａ，９４ｂ，９５ａ，９５ｂ，９６ａ，９６ｂは、上下方向に延びるリブ状に形成されている。個々の突起部９３ａ，９３ｂ，９４ａ，９４ｂ，９５ａ，９５ｂ，９６ａ，９６ｂは、上端に向かって次第に突出高さが低くなるテーパ状に形成されている。そのため、単電池２に対して下側から上側に向かう方向に沿って下キャップ３０を差し込むとき、電池容器３に対する突起部９３ａ，９３ｂ，９４ａ，９４ｂ，９５ａ，９５ｂ，９６ａ，９６ｂの引っ掛かりが軽減され、単電池２に対して下キャップ３０をスムーズに装着することができる。
【０１０５】
図１６及び図１７に示すように、以上のように構成された下キャップ３０が単電池２に装着されると、単電池２の電池容器３の下端側は、下キャップ３０の長側壁部３３，３４の突起部９３ａ，９３ｂ，９４ａ，９４ｂによって左右両側から押し付けられるとともに、下キャップ３０の短側壁部３５，３６の突起部９５ａ，９５ｂ，９６ａ，９６ｂによって前後両側から押し付けられる。また、電池容器３は、右側、左側、前側及び後側からそれぞれ複数の突起部９３ａ，９３ｂ，９４ａ，９４ｂ，９５ａ，９５ｂ，９６ａ，９６ｂによって押し付けられる。
【０１０６】
このとき、個々の突起部９３ａ，９３ｂ，９４ａ，９４ｂ，９５ａ，９５ｂ，９６ａ，９６ｂは弾性変形可能であり、全ての突起部９３ａ，９３ｂ，９４ａ，９４ｂ，９５ａ，９５ｂ，９６ａ，９６ｂが電池容器３の表面に密着する。そのため、単電池２の電池容器３の膨張の有無、並びに、単電池２及び下キャップ３０の寸法誤差の有無に関わらず、下キャップ３０は、単電池２に対して前側、後側、右側及び左側からそれぞれ密着して装着される。
【０１０７】
このように、下キャップ３０も、上キャップ２０と同様、単電池２に対するがたつきが抑制され、単電池２に対して確実に位置決めされる。そのため、上キャップ２０及び下キャップ３０を介して天板４１及び底板４７に保持される単電池２は、天板４１及び底板４７を有する保持体４０に対する位置決め精度が高められるとともに、保持体４０に対するがたつきが抑制され、これによって、組電池１の剛性の更なる向上を図ることができる。
【０１０８】
以上、上述の実施形態を挙げて本発明を説明したが、本発明は上述の実施形態に限定されるものではない。
【０１０９】
例えば、上述の実施形態では、外部端子毎に上キャップ２０が設けられ、蓄電素子毎に下キャップ３０が設けられる例を説明したが、これらに代えて、個々の外部端子を覆う複数の被覆部を一体化してなる上キャップ、及び／又は、個々の蓄電素子の底面側を覆う複数の被覆部を一体化してなる下キャップを用いてもよい。上キャップ２０については、例えば、図１０に示すように端子面部の短手方向に隣接する上キャップ２０，２０同士をこれらの側壁部２５，２６において一体化させたり、図１１に示すように端子面部の長手方向に隣接する上キャップ２０，２０同士をこれらの後壁部２４，２４において一体させたりすることで、複数の被覆部２０，２０を有する１つの上キャップを構成することが考えられる。
【０１１０】
また、上述の実施形態では、端子面部に凸状の被係合部９ａ，９ｂが設けられる例を説明したが、本発明において、端子面部に設けられる被係合部は、第２押し付け部が押し付けられ得るものであれば、凸状のものに限られない。
【０１１１】
さらに、上述の実施形態では、上キャップ２０の後壁部２４及び側壁部２５，２６、並びに、下キャップ３０の長側壁部３３，３４及び短側壁部３５，３６に、突起部が一対ずつ設けられる例を説明したが、本発明において、各面に設けられる突起部の個数は限定されるものでない。
【０１１２】
また、上述の実施形態では、個々の突起部がリブ状に形成される例を説明したが、本発明において、突起部の形状は特に限定されるものでない。
【０１１３】
さらに、上述の実施形態では、上キャップ２０の両側の側壁部２５，２６に突起部が設けられ、下キャップ３０の両側の長側壁部３３，３４に突起部が設けられ、下キャップ３０の両側の短側壁部３５，３６に突起部が設けられる例を説明したが、本発明では、上キャップ２０の側壁部２５，２６の一方、下キャップ３０の長側壁部３３，３４の一方、又は、下キャップ３０の短側壁部３５，３６の一方のみに突起部を設けるようにしてもよい。
【０１１４】
また、上述の実施形態では、個々の突起部が弾性変形可能である構成を説明したが、本発明では、弾性変形可能な突起部に代えて、塑性変形可能な突起部を設けてもよい。なお、突起部が塑性変形した場合でも、突起部の一部は弾性変形しているため、この突起部の付勢力は蓄電素子に作用し得る。
【０１１５】
さらに、上述の実施形態では、蓄電素子としてリチウムイオン二次電池のような非水電解質二次電池を有する蓄電装置を例に本発明に係る蓄電装置を説明したが、本発明に係る蓄電装置を構成する蓄電素子は、非水電解質二次電池以外の二次電池、一次電池、キャパシタを含む種々の蓄電素子であってもよい。
【０１１６】
また、本発明は、複数の蓄電素子を有する組電池に限られず、蓄電素子を１つのみ備えた蓄電装置にも適用することができる。
【符号の説明】
【０１１７】
１              組電池（蓄電装置）
２              単電池（蓄電素子）
３              電池容器
３ａ            底面部
３ｂ，３ｃ      長側面部
３ｄ，３ｅ      短側面部
５              蓋体（端子面部）
７Ａ，７Ｂ      外部端子
９Ａ，９Ｂ      パッキン
９ａ，９ｂ      被係合部
１０Ａ，１０Ｂ  接続杆
１０ａ，１０ｂ  検査用端子部
１４            バスバー
２０            上キャップ
２１            頂壁部
２１ｅ，２１ｆ  窪み部
２２            上凸部
２３            前壁部
２４            後壁部（対向壁部）
２５，２６      側壁部
２７ａ，２７ｂ  内側連結部
２８，２９      突出片（センサ保護部）
２８ａ，２９ａ  水平部
２８ｂ，２９ｂ  垂直部
２８ｃ，２９ｃ  開口
２８ｄ，２９ｄ  係合部（第２押し付け部）
３０            下キャップ
３１            底壁部
３２            下凸部
３３，３４      長側壁部
３５，３６      短側壁部
４０            保持体
４１            天板
４２            貫通穴
４５，４６      側板
４７            底板
４８            貫通穴
６０            監視装置
６４ａ，６４ｂ  突起部（第１押し付け部）
６５ａ，６５ｂ  突起部（第３押し付け部）
６６ａ，６６ｂ  突起部（第４押し付け部）
７０            遮熱板
７３，７４      突出部
７８            ガイド部材
８０            温度センサ
８２            電線
９３ａ，９３ｂ，９４ａ，９４ｂ，９５ａ，９５ｂ，９６ａ，９６ｂ  突起部
【図１】
0006613773.tif 000002
【図２】
0006613773.tif 000003
【図３】
0006613773.tif 000004
【図４】
0006613773.tif 000005
【図５】
0006613773.tif 000006
【図６】
0006613773.tif 000007
【図７】
0006613773.tif 000008
【図８】
0006613773.tif 000009
【図９】
0006613773.tif 000010
【図１０】
0006613773.tif 000011
【図１１】
0006613773.tif 000012
【図１２】
0006613773.tif 000013
【図１３】
0006613773.tif 000014
【図１４】
0006613773.tif 000015
【図１５】
0006613773.tif 000016
【図１６】
0006613773.tif 000017
【図１７】
0006613773.tif 000018